(57)【要約】【課題】撮影の良否の判断を、短時間で正確に行えるようにする。【解決手段】放射線撮影装置１０は、放射線源２１、ＦＰＤ２２、撮影制御部３１、再構成処理部４４、処理順序制御部４５、表示部４２を備える。撮影制御部３１は、放射線源２１を所定の振り角の範囲内で移動させながらＦＤＰ２２で投影画像を得ることにより、被写体１４を複数の角度から撮影して得られた一連の投影画像を撮影する。再構成処理部４４は、一連の投影画像を用いて診断用の断層画像を複数生成する。処理順序制御部４５は、複数生成される断層画像を第１断層画像群と第２断層画像群とに分けるためのパラメータを放射線源の振り角に応じて定め、第１断層画像群に属する断層画像を第２断層画像群に属する断層画像よりも先に生成させる。表示部４２は、撮影の良否を判定させるために少なくとも第１断層画像群に属する前記断層画像を表示する。【選択図】図１
2014195622.tif 000002
【特許請求の範囲】
【請求項１】
所定位置に配置された被写体に対して複数の異なる角度に移動自在に設けられた放射線源と、
前記被写体を透過した放射線を検出することにより、前記被写体の放射線画像を検出する放射線画像検出器と、
前記放射線源を所定の振り角の範囲内で移動させ、前記放射線源を移動させた各位置で前記放射線画像検出器に前記放射線画像を検出させることにより、前記被写体を複数の角度から撮影する撮影制御部と、
前記被写体を複数の角度から撮影して得られた一連の前記放射線画像を用いて再構成処理をすることにより、診断に使用される前記被写体の断層画像を複数生成する再構成処理部と、
複数生成される前記断層画像を第１断層画像群と第２断層画像群とに分けるためのパラメータを前記振り角に応じて定め、前記パラメータを基づき、前記再構成処理部によって前記第１断層画像群に属する前記断層画像を前記第２断層画像群に属する前記断層画像よりも先に生成させる処理順序制御部と、
撮影の良否を判定させるために少なくとも前記第１断層画像群に属する前記断層画像を表示する表示部と、
を備えることを特徴とする放射線撮影装置。
【請求項２】
前記処理順序制御部は、複数の前記断層画像から所定枚数毎に選択されたものを前記第１断層画像群とするように、前記パラメータを決定することを特徴とする請求項１に記載の放射線撮影装置。
【請求項３】
前記処理順序制御部は、前記振り角が小さいほど前記第１断層画像群に属する前記断層画像の数が少なくなるように前記パラメータを定めることを特徴とする請求項２に記載の放射線撮影装置。
【請求項４】
前記振り角が所定の大きさに設定された第１撮影モードと、前記第１撮影モードよりも前記振り角が小さく設定された第２撮影モードの少なくとも２つの撮影モードを備え、
前記処理順序制御部は、前記第２撮影モードが選択された場合に、前記第１撮影モードが選択された場合よりも前記第１断層画像群に属する前記断層画像の数が少なくなるように前記パラメータを定めることを特徴とする請求項３に記載の放射線撮影装置。
【請求項５】
前記処理順序制御部は、前記第１撮影モードが設定された場合、複数生成される前記断層画像を全て前記第１断層画像群とするように前記パラメータを定める請求項４に記載の放射線撮影装置。
【請求項６】
前記表示部に表示された前記第１断層画像群に属する前記断層画像に基づいて撮影が成功したと判定された場合、前記表示部は次の撮影を行うための画面を表示し、前記再構成処理部は、前記第２断層画像群に属する前記断層画像をバックグラウンドで生成することを特徴とする請求項１〜５のいずれか１項に記載の放射線撮影装置。
【請求項７】
前記表示部に表示された前記第１断層画像群に属する前記断層画像に基づいて撮影が失敗したと判定された場合、前記再構成処理部は前記第２断層画像群に属する前記断層画像の生成を中止することを特徴とする請求項１〜６のいずれか１項に記載の放射線撮影装置。
【請求項８】
所定位置に配置された被写体に対して複数の異なる角度に移動自在に設けられた放射線源を所定の振り角の範囲内で移動させ、前記放射線源を移動させた各位置で放射線画像検出器に放射線画像を検出させることにより、前記被写体を複数の角度から撮影する撮影ステップと、
複数生成される前記断層画像を第１断層画像群と第２断層画像群とに分けるためのパラメータを前記振り角に応じて定めるパラメータ算出ステップと、
前記被写体を複数の角度から撮影して得られた一連の前記放射線画像を用いて再構成処理をすることにより、診断に使用される前記被写体の断層画像を複数生成するステップであり、前記パラメータに応じて複数生成する前記断層画像を第１断層画像群と第２断層画像群とに分け、前記第１断層画像群に属する前記断層画像を前記第２断層画像群に属する前記断層画像よりも先に生成する断層画像生成ステップと、
少なくとも前記第１断層画像群に属する前記断層画像を撮影の良否を判定させるために表示する断層画像表示ステップと、
を備える放射線撮影方法。
【請求項９】
所定位置に配置された被写体に対して複数の異なる角度に移動自在に設けられた放射線源と、前記被写体を透過した放射線を検出することにより、前記被写体の放射線画像を検出する放射線画像検出器と、前記被写体を複数の角度から撮影して得られた一連の前記放射線画像を用いて再構成処理をすることにより、診断に使用される前記被写体の断層画像を複数生成する再構成処理部と、複数生成される前記断層画像の生成順序を決定する処理順序制御部と、前記断層画像を表示する表示部と、を備える放射線撮影装置に、
前記放射線源を所定の振り角の範囲内で移動させ、前記放射線源を移動させた各位置で前記放射線画像検出器に前記放射線画像を検出させることにより、前記被写体を複数の角度から撮影する撮影ステップと、
前記処理順序制御部によって、複数生成される前記断層画像を第１断層画像群と第２断層画像群とに分けるためのパラメータを前記振り角に応じて定めるパラメータ算出ステップと、
前記再構成処理部によって、前記被写体を複数の角度から撮影して得られた一連の前記放射線画像を用いて再構成処理をすることにより、診断に使用される前記被写体の断層画像を複数生成するステップであり、前記パラメータに応じて複数生成する前記断層画像を第１断層画像群と第２断層画像群とに分け、前記第１断層画像群に属する前記断層画像を前記第２断層画像群に属する前記断層画像よりも先に生成させる断層画像生成ステップと、
撮影の良否を判定させるために、前記表示部によって、少なくとも前記第１断層画像群に属する前記断層画像を表示する断層画像表示ステップと、
を行わせることを特徴とする放射線撮影制御プログラム。
【発明の詳細な説明】
【技術分野】
【０００１】
本発明は、放射線によって被写体を複数の角度から撮影して得た投影画像（放射線画像）を用いて再構成処理し、被写体の断層画像を得る放射線撮影装置及び放射線撮影方法、並びに放射線撮影制御プログラムに関する。
【背景技術】
【０００２】
放射線（例えば、Ｘ線）を発する放射線源と、被写体を透過した放射線を二次元に配列された画素毎で検出することにより、被写体の放射線画像を検出する放射線画像検出器を備える放射線撮影装置が普及している。放射線画像検出器が検出する放射線画像はいわゆる投影画像であり、被写体の深さ方向（放射線の透過方向）に沿った情報が重畳されている。このため、放射線診断においては、投影画像により、被写体（患者）の異なる深さにある複数の病変組織等を峻別して観察することは困難である。
【０００３】
このため、放射線源及び放射線画像検出器の位置や角度を可変にし、複数の異なる角度から被写体を撮影することにより、一連の投影画像を取得し、この一連の投影画像を用いて再構成処理をすることにより、被写体の任意深さの断層画像を生成する放射線撮影装置も知られている（特許文献１，２）。この撮影法はトモシンセシス撮影と呼ばれている。トモシンセシス撮影で得られる断層画像では、投影画像に比べて、被写体の深さ方向の分解能が向上するので、所定深さにある病変組織等を、他の深さにある病変組織等と峻別して観察することができる。
【０００４】
ところで、放射線撮影は、通常、医師の依頼に応じて放射線技師によって行われる。放射線技師は、放射線撮影をした後、医師（あるいは医師が参照する画像サーバ等）に投影画像や断層画像を提供する前に、医師が診断に利用するのに支障がない画像が得られているか否か等、撮影の良否を判断するための撮影した画像の検査（以下、検像という）を行う。
【０００５】
これは、断層画像を得るトモシンセシス撮影でも同様である。トモシンセシス撮影の検像は、例えば被写体の一方の側から他方の側の各位置において順番に複数生成される断層画像を、被写体に対する位置の偏りなく観察し、各断層画像のボケやノイズレベル等に基づいて撮影の成功または失敗を判定することによって行われる。正確な検像を行うためには、通常、全ての断層画像が生成された後、各断層画像を検像して撮影の良否が判断される。
【先行技術文献】
【特許文献】
【０００６】
【特許文献１】特開２００８−１１４０６４号公報
【特許文献２】特開２０１０−１７２５２７号公報
【発明の概要】
【発明が解決しようとする課題】
【０００７】
しかしながら、トモシンセシス撮影では、数十〜百枚以上にも及ぶ多数の断層画像の生成が必要とされるため、全ての断層画像を生成するには長時間を要する。そして、断層画像を生成するための待ち時間は検像を長引かせる原因の一つになっている。
【０００８】
特許文献１のトモシンセシス撮影装置は、所望の画像特性（分解能やノイズレベル）を指定することにより、放射線源の振り角（掃引角度）や放射線の線量等を自動的に決定しているが、この方法では、断層画像の生成に用いる一連の投影画像を撮影するまでに要する準備時間が短縮される可能性があるが、検像に要する時間を短縮することはできない。
【０００９】
特許文献２のトモシンセシス撮影装置は、一連の投影画像のうちの一部の投影画像だけを用いて途中断層画像を生成し、この途中断層画像を用いて撮影の良否を判断させている。しかし、途中断層画像は使用された投影画像が少ないため、一連の投影画像を全て用いた診断用の断層画像と比較すると画質が悪い。このため、このトモシンセシス撮影装置による撮影及び検像の熟練度等によっては、途中断層画像で撮影の良否を正しく判定できない場合がある。また、途中断層画像を表示させることにより、放射線技師は１枚の断層画像の生成待ち時間を負担に感じ難くなるものの、検像では複数の断層画像を検査するために、結局は全ての断層画像の生成完了を待たなければならない。このため、途中断層画像を生成し、表示させても、検像に要する時間を短縮することはできない。
【００１０】
本発明は、トモシンセシス撮影を行う場合に、短時間で正確な検像を行える放射線撮影装置及び放射線撮影方法、並びに放射線撮影制御プログラムを提供することを目的とする。
【課題を解決するための手段】
【００１１】
本発明の放射線撮影装置は、放射線源、放射線画像検出器、撮影制御部、再構成処理部、処理順序制御部、表示部を備える。放射線源は、所定位置に配置された被写体に対して複数の異なる角度に移動自在に設けられる。放射線画像検出器は、被写体を透過した放射線を検出することにより、被写体の放射線画像を検出する。撮影制御部は、放射線源を所定の振り角の範囲内で移動させ、放射線源を移動させた各位置で放射線画像検出器に放射線画像を検出させることにより、被写体を複数の角度から撮影する。再構成処理部は、被写体を複数の角度から撮影して得られた一連の放射線画像を用いて再構成処理をすることにより、診断に使用される被写体の断層画像を複数生成する。処理順序制御部は、複数生成される前記断層画像を第１断層画像群と第２断層画像群とに分けるためのパラメータを振り角に応じて定め、このパラメータに基づき、再構成処理部によって第１断層画像群に属する断層画像を第２断層画像群に属する断層画像よりも先に生成させる。表示部は、撮影の良否を判定させるために少なくとも前記第１断層画像群に属する前記断層画像を表示する。
【００１２】
処理順序制御部は、複数の断層画像から所定枚数毎に選択されたものを第１断層画像群とするようにパラメータを決定することが好ましい。
【００１３】
処理順序制御部は、振り角が小さいほど第１断層画像群に属する断層画像の数が少なくなるようにパラメータを定めることが好ましい。
【００１４】
例えば、振り角が所定の大きさに設定された第１撮影モードと、第１撮影モードよりも振り角が小さく設定された第２撮影モードの少なくとも２つの撮影モードを備える場合、処理順序制御部は、第２撮影モードが選択された場合に、第１撮影モードが選択された場合よりも第１断層画像群に属する断層画像の数が少なくなるようにパラメータを定めることが好ましい。処理順序制御部は、第１撮影モードが設定された場合、複数生成される断層画像を全て第１断層画像群に属させるパラメータを定めても良い。
【００１５】
表示部に表示された第１断層画像群に属する断層画像に基づいて撮影が成功したと判定された場合、表示部は次の撮影を行うための画面を表示し、再構成処理部は、第２断層画像群に属する断層画像をバックグラウンドで生成することが好ましい。
【００１６】
表示部に表示された第１断層画像群に属する断層画像に基づいて撮影が失敗したと判定された場合、再構成処理部は第２断層画像群に属する断層画像の生成を中止することが好ましい。
【００１７】
本発明の放射線撮影方法は、撮影ステップ、パラメータ算出ステップ、断層画像生成ステップ、断層画像表示ステップを備える。撮影ステップでは、所定位置に配置された被写体に対して複数の異なる角度に移動自在に設けられた放射線源を所定の振り角の範囲内で移動させ、放射線源を移動させた各位置で放射線画像検出器に放射線画像を検出させることにより、被写体を複数の角度から撮影するパラメータ算出ステップでは、複数生成される断層画像を第１断層画像群と第２断層画像群とに分けるためのパラメータを振り角に応じて定める。断層画像生成ステップは、被写体を複数の角度から撮影して得られた一連の放射線画像を用いて再構成処理をすることにより、診断に使用される被写体の断層画像を複数生成するステップであり、パラメータに応じて複数生成する断層画像を第１断層画像群と第２断層画像群とに分け、第１断層画像群に属する断層画像を第２断層画像群に属する断層画像よりも先に生成する。断層画像表示ステップでは、少なくとも第１断層画像群に属する断層画像を撮影の良否を判定させるために表示する。
【００１８】
本発明の放射線撮影制御プログラムは、放射線源と、放射線画像検出器と、再構成処理部と、処理順序制御部と、表示部とを備える放射線撮影装置に、撮影ステップと、パラメータ算出ステップと、断層画像生成ステップと、断層画像表示ステップとを行わせる。
放射線源は、所定位置に配置された被写体に対して複数の異なる角度に移動自在に設けられる。放射線画像検出器は、被写体を透過した放射線を検出することにより、被写体の放射線画像を検出する。再構成処理部は、被写体を複数の角度から撮影して得られた一連の放射線画像を用いて再構成処理をすることにより、診断に使用される被写体の断層画像を複数生成する。処理順序制御部は、複数生成される前記断層画像の生成順序を決定する。表示部は、断層画像を表示する。
そして、撮影ステップでは、放射線源を所定の振り角の範囲内で移動させ、放射線源を移動させた各位置で放射線画像検出器に放射線画像を検出させることにより、被写体を複数の角度から撮影させる。パラメータ算出ステップでは、処理順序制御部によって、複数生成される断層画像を第１断層画像群と第２断層画像群とに分けるためのパラメータを振り角に応じて定めさせる。断層画像生成ステップでは、再構成処理部によって、被写体を複数の角度から撮影して得られた一連の前記放射線画像を用いて再構成処理をすることにより、診断に使用される前記被写体の断層画像を複数生成させる。このとき、パラメータに応じて複数生成する断層画像を第１断層画像群と第２断層画像群とに分け、第１断層画像群に属する断層画像を第２断層画像群に属する断層画像よりも先に生成させる。断層画像表示ステップでは、撮影の良否を判定させるために、表示部によって少なくとも第１断層画像群に属する断層画像を表示させる。
【発明の効果】
【００１９】
本発明の放射線撮影装置及び放射線撮影方法並びに放射線撮影制御プログラムは、複数生成する断層画像のうち、検像に最小限必要な断層画像を射線源の振り角に応じて選出し、優先的に生成及び表示するので、短時間で正確に検像をすることができる。
【図面の簡単な説明】
【００２０】
【図１】放射線撮影装置の構成を示すブロック図である。
【図２】放射線源及びＦＰＤの動作を示す説明図である。
【図３】被写体と断層画像の関係を示す説明図である。
【図４】トモシンセシス撮影を行う場合の動作を示すフローチャートである。
【図５】標準モードと高速モードの設定を示す表である。
【図６】高速モードの断層画像の生成順序を示す説明図である。
【図７】標準モードの断層画像の生成順序を示す説明図である。
【図８】間引数が０の場合の検像用表示画面を示す模式図である。
【図９】間引数が１場合の検像用表示画面を示す模式図である。
【図１０】間引数が１場合の別の検像用表示画面を示す模式図である。
【図１１】間引数が１場合の別の検像用表示画面を示す模式図である。
【図１２】間引数が１場合の別の検像用表示画面を示す模式図である。
【図１３】間引数が１場合の検像用表示画面を示す模式図である。
【発明を実施するための形態】
【００２１】
図１に示すように、放射線撮影装置１０は、被写体を撮影する撮影部１１、撮影部１１を制御するための制御装置１２、制御装置１２やその他の外部装置等との間で各種データ等の入出力を行うためのコンソール１３等を備える。
【００２２】
撮影部１１は、放射線源２１やＦＰＤ（Flat Panel Detector）２２、撮影台２３、圧迫板２４等を備えるデジタルマンモグラフィ装置である。被写体１４は乳房である。被写体１４は、撮影台２３に載置され、撮影台２３に対して移動自在の圧迫板２４によって圧迫されることにより、伸展された状態で撮影される。
【００２３】
放射線源２１はＸ線を発生する。放射線源２１が発生するＸ線の線量や線質は、管電圧や管電流によって調節される。また、放射線源２１は、線源移動機構２６に取り付けられており、矢印Ｌ１で示すように撮影台２３に対して平行に移動可能である。線源移動機構２６は、放射線源２１を移動させる場合に、放射線源２１がＸ線を照射する方向Ｌ２が常に被写体１４に向くように、位置に連動して放射線源２１を回動させる。
【００２４】
ＦＰＤ２２は、例えば、Ｘ線を可視光に変換するシンチレータと、シンチレータが発する光を画素毎に光電変換して画像信号に変換するＴＦＴパネルとを有する間接変換型の放射線画像検出器である。また、ＦＰＤ２２は、撮影台２３に設けられたＦＰＤ移動機構２７に取り付けられており、矢印Ｌ３で示すように撮影台２３の表面に平行に移動可能である。ＦＰＤ２２は、放射線源２１の位置及び向きに連動して移動され、被写体１４を撮影可能な位置に配置される。このように、放射線源２１とＦＰＤ２２が移動自在に設けられていることによって、放射線撮影装置１０は、投影画像の撮影だけでなく、トモシンセシス撮影を行うことができる。
【００２５】
制御装置１２は、撮影制御部３１と画像生成部３２を備える。撮影制御部３１は、コンソール１３の入力部３１から入力される撮影パラメータ等に基づいて撮影部１１の各部に動作制御用の各種信号を入力することにより、撮影部１１の各部の動作を制御する。例えば、撮影制御部３１は、放射線源２１の管電圧や管電流を制御して放射線源２１が発生するＸ線の線量や線質を制御する。
【００２６】
また、撮影制御部３１は、線源移動機構２６やＦＰＤ移動機構２７を介して放射線源２１の位置や向きと、ＦＰＤ２２の位置を同期して制御する。圧迫板２４の動作や、放射線源２１のＸ線の発生タイミング、ＦＰＤ２２の撮影タイミング、及びこれらの同期制御も撮影制御部３１が行う。このように、撮影制御部３１は撮影部１１の各部を制御することにより、例えば撮影部１１によってトモシンセシス撮影を行って被写体１４の断層画像を生成するための一連の投影画像を撮影する。
【００２７】
また、撮影制御部３１は、断層画像を生成するためのものではなく、そのまま診断に用いられる通常の投影画像を撮影部１１によって撮影させる場合もある。なお、撮影制御部３１には、撮影開始を指示するスイッチ等を含む操作部（図示しない）が接続されている。
【００２８】
画像生成部３２は、ＦＰＤ２２が出力する画像信号に基づいて投影画像を生成する。画像生成部３２が生成した投影画像は、コンソール１３の画像処理部３３に入力される。また、画像生成部３２が生成する投影画像はＤＩＣＯＭ（Digital Imaging and COmmunication in Medicine）に準拠しており、画像生成部３２は投影画像のヘッダに各種メタ情報を記録する。投影画像のヘッダに記録されるメタ情報は、例えば、撮影日時、患者（被写体）の氏名，年齢，性別、撮影部位、シリーズ番号等である。
【００２９】
放射線撮影装置１０でトモシンセシス撮影を行う場合には、断層画像の生成に使用する複数の投影画像は、ヘッダに記録されたメタ情報に基づいて一連の投影画像として識別される。また、一連の投影画像は、各々の撮影角度（被写体１４に対する放射線源１４及びＦＰＤ２２の相対位置）等についても、同様にメタ情報に基づいて識別される。
【００３０】
コンソール１３は、入力部４１、表示部４２、画像処理部４３を備える。また、コンソール１３は、放射線情報管理システム（ＲＩＳ；Radiology Information System）５１や医用画像情報システム（ＰＡＣＳ；Picture Archiving and Communication System)５２、病院情報システム（ＨＩＳ；Hospital Information System）５３と接続されている。
【００３１】
入力部４１は、キーボードや操作ボタン、マウス等のポインティングデバイス等の各種入力機器から構成される。放射線技師は、医師から受ける撮影オーダに基づいて、メタ情報として投影画像に記録する各種情報や、放射線撮影装置１０の動作を制御するための撮影パラメータを、入力部４１を用いて放射線撮影装置１０に入力する。撮影オーダは、例えば、被写体１４の氏名や年齢、撮影部位、撮影の種類（例えば、トモシンセシス撮影や通常の投影画像の撮影等の撮影方法）等である。また、撮影パラメータは、例えば放射線源２１の管電圧や管電流、撮影の種類に対応する動作モードの選択設定等である。
【００３２】
トモシンセシス撮影を行う場合は、放射線源２１の振り角（放射線源２１の最大移動角度）や生成する断層画像の枚数等も撮影パラメータとして入力される。投影画像等に画像処理を施す場合、各種画像処理の選択やパラメータ設定等の入力も入力部４１によって行われる。
【００３３】
入力部４１は、ＲＩＳ５１から撮影オーダを取得した場合には、メタ情報として投影画像に記録する各種情報や撮影パラメータの一部を自動入力する。また、放射線撮影装置１０は使用頻度が高い撮影パラメータの組を撮影モードとして予め記憶しており、入力部４１によってプリセットされた撮影モードが選択された場合には、選択された撮影モードに対応する撮影パラメータが自動入力される。
【００３４】
表示部４２は、例えば液晶モニタと、液晶モニタへの表示の仕方等を制御する表示制御部（図示しない）等で構成され、撮影オーダや、撮影パラメータの入力画面、撮影した投影画像、トモシンセシス撮影をした場合に生成された断層画像等が表示される。表示部４２は、一台または複数台のモニタで構成されている。撮影の良否を判断するための検像は、放射線技師が表示部４２に表示された画像を確認することにより行われる。検像とは、被写体１４の表面側（放射線源２１側）から背面側（ＦＰＤ２２側）にかけて複数生成される断層画像を満遍なく観察し、像のボケやノイズレベル等に基づいて撮影の成功または失敗を判定することを言う。像のボケは、例えば撮影中の患者が動くこと（体動）によって発生する。検像の結果、撮影成功と判定した場合、放射線技師は断層画像をＰＡＣＳ５２に送信してともシンセシス撮影を完了する。一方、像がぼけている等の理由により、撮影失敗と判定した場合、放射線技師は、被写体１４を一連の投影画像の撮影をやり直す。
【００３５】
画像処理部４３は、画像生成部３２から入力される投影画像に、各種画像処理を施す。例えば、画像処理部４３は、入力部４１から入力される指示に基づいて、加算平均等によるノイズ低減処理、輪郭強調処理、ハイパスフィルタ等による輪郭強調処理、平滑化処理、階調変換等によるコントラスト調節処理等を選択的に行う。また、設定された表示部４２の表示形態によっては、画像生成部３２から入力された投影画像から一覧表示用の縮小画像（サムネイル）を生成する場合もある。
【００３６】
さらに、画像処理部４３は、トモシンセシス撮影のために、再構成処理部４４と処理順序制御部４５を備えている。
【００３７】
再構成処理部４４は、トモシンセシス撮影によって得られた一連の投影画像を再構成処理することによって被写体１４の断層画像（再構成画像とも言う）を生成する。トモシンセシス撮影の断層画像を生成する再構成処理は、シフト加算（ＳＡ；shift-and-add）法やフィルタ逆投影（ＦＢＰ；filtered back projection）法等で行われる。断層画像を生成する方法や生成枚数（断層画像を生成するピッチ）等は、撮影パラメータとして入力部４１から入力される値に従う。また、再構成処理部４４が生成する全ての断層画像は、検像だけでなく、診断に用いられる断層画像である。診断とは、医師が腫瘍の有無等の病理判断を読影することを言う。なお、これに対して、放射線技師が行う検像では、像のボケやノイズレベル等、撮影の良否だけを判断し、病理判断は行われない。
【００３８】
再構成処理部４４は、１回のトモシンセシス撮影で複数の断層画像を生成する。このとき、再構成処理部４４は、処理順序制御部４５で定められる間引数に基づいて、全断層画像のうち、一部の断層画像を先に生成し、残りの断層画像を後から生成する。以下、先に生成する複数の断層画像のグループを第１断層画像群、生成を後回しにする複数の断層画像のグループを第２断層画像群という。
【００３９】
第１及び第２断層画像群の各断層画像は、基本的に、再構成処理部４４により生成され次第、順次に表示部４２に表示される。但し、再構成処理部４４は、少なくとも第１断層画像群に属する断層画像は全て表示部４２に表示させるが、第２断層画像群に属する断層画像は、その一部または全部を表示しない場合がある。
【００４０】
例えば、放射線技師は、撮影の良否を確認するために、表示部４２に表示された断層画像を観察することにより検像を行うが、この検像は第１断層画像群に属する断層画像のみで十分足りる場合がある。この場合、第１断層画像群に属する断層画像の生成及び表示が完了した時点で検像が行われ、検像の結果、放射線技師により撮影が成功したと判定されてＰＡＣＳ５２への送信指示が入力されると、第２断層画像群に属する断層画像は表示部４２に表示されずに、表示部４２には次の被写体の撮影のための画面が表示される。このとき、放射線撮影装置１０は、表面上は撮影準備等の他の動作をしながら、第２断層画像群に属する断層画像は、表示部４２に表示されずにバックグラウンドで生成される。
【００４１】
処理順序制御部４５は、入力部４１から入力されるトモシンセシス撮影用の撮影パラメータを取得し、取得した撮影パラメータに基づいて間引数を定め、この間引数によって再構成処理部４４で複数生成される断層画像の生成順序を制御する。具体的には、処理順序制御部４５は、放射線源２１の振り角に基づいて、全断層画像から何枚ずつ間引いて第２断層画像群とするかを表す間引数を定める。再構成処理部４４は、間引数にしたがって、生成する全断層画像から、第２断層画像群とする断層画像を間引き、残りを第１断層画像群として選出する。間引数は、全断層画像を第１断層画像群と第２断層画像群に分けるためのパラメータである。
【００４２】
例えば、放射線源２１側から順にナンバリングされた全Ｎ枚の断層画像を生成する場合に、間引数が「１」であると、偶数番目（２番目，４番目，６番目，…）の断層画像が第２断層画像群として間引かれ、残りの、奇数番目（１番目，３番目，５番目，…）の断層画像が第１断層画像群として選出される。また、間引数が「２」の場合には、２番目，３番目，５番目，６番目，…と２枚ずつ断層画像が第２断層画像群として間引かれ、残りの１番目，４番目，７番目，…の断層画像が第１断層画像群として選出される。間引数が「３」以上の場合も同様である。なお、間引数が「０」の場合は、第２断層画像群に属する断層画像は存在せず、全Ｎ枚の断層画像が第１断層画像群に属する。
【００４３】
処理順序制御部４５は、放射線源２１の振り角と間引数とが対応付けられたルックアップテーブル（ＬＵＴ）４６を予め備えており、撮影パラメータとして設定された放射線源２１の振り角を取得すると、ＬＵＴ４６を参照することによって間引数を定める。ＬＵＴ４６は、例えば設定可能な所定の振り角毎に、それぞれ一つの間引数を対応付ける。また、ＬＵＴ４６に設定された振り角と間引数は、振り角が小さい程、間引数が大きいという関係を有する。
【００４４】
また、プリセットされた撮影モードの撮影パラメータの一つとして予め間引数が定められている場合、処理順序制御部４５は入力部４１から撮影パラメータとして取得する間引数を再構成処理部４４に入力する。プリセットされた撮影モードの間引数は、ＬＵＴ４６に記憶された複数の間引数のうち１つと一致するように定められているので、選択された撮影モードの間引数を取得することは、振り角を取得し、ＬＵＴ４６を参照して間引数を定めるのと同等である。
【００４５】
ＲＩＳ５１は、放射線撮影装置１０等の放射線機器による撮影や検査，治療の予約、撮影結果や検査結果の管理を行う装置である。ＲＩＳ５１は、ＨＩＳ５３から患者に関する情報や医師による撮影オーダを受け、例えば放射線技師がＲＩＳ５１で指定した放射線機器（放射線撮影装置１０）に撮影オーダや患者情報等を入力する。
【００４６】
ＰＡＣＳ５２は、放射線画像を含む医用画像を記憶し、一元管理する装置であり、ＨＩＳ５３やＲＩＳ５１からの要求に応じて放射線撮影装置１０で撮影した断層画像等を送信し、表示させる。放射線撮影装置１０は、撮影した投影画像や断層画像をＰＡＣＳ５２に送信する。
【００４７】
ＨＩＳ５３は、電子カルテ等を含む統合的な管理装置であり、例えば、撮影オーダはＨＩＳ５３により入力される。
【００４８】
図２に示すように、トモシンセシス撮影を行う場合、放射線源２１は、その中心（Ｘ線の発生点）の位置Ｓｋが、ｋ＝１からｋ＝Ｍまで所定のピッチで間欠的に移動される。また、各位置Ｓｋにおいて照射方向が被写体１４に向き、各照射光軸が被写体１４内の一点で交わるように回動される。整数Ｍは、トモシンセシス撮影により得られる投影画像の枚数に対応する。また、隣接する各位置Ｓｋ間の間隔は、例えば等間隔である。撮影制御部３１は、例えば、撮影パラメータとして指定される放射線源２１の振り角θ、生成する断層画像の枚数Ｎ等に応じて撮影枚数Ｍと、位置Ｓｋ間の間隔（放射線源２１の移動ピッチ）とを自動的に決定する。
【００４９】
放射線源２１の振り角θは、放射線源２１が移動開始位置Ｓ１にある場合のＸ線の照射方向Ｌ２ａと放射線源２１が移動終了位置ＳＭにある場合の放射線の照射方向Ｌ２ｂとがなす角の１／２である。すなわち、被写体１４を挟んで放射線源２１とＦＰＤ２２を正対させた場合におけるＦＰＤ２２や撮影台２３の表面２３ａに垂直な照射方向Ｌ２ｃと、Ｌ２ａ，Ｌ２ｂとがなす角θが放射線源２１の振り角θである。
【００５０】
各位置Ｓｋにおいて放射線源２１から照射されるＸ線が被写体１４を介して入射するように、ＦＰＤ２２は、その中心位置Ｑｋ（ｋ＝１〜Ｍ）が放射線源２１の間欠移動に応じて放射線源２１とは逆向きに間欠移動される。すなわち、被写体１４は、位置Ｓｋにある放射線源２１と中心が対応する位置ＱｋにあるＦＰＤ２２によって撮影される。これにより、合計でＭ枚の投影画像が、断層画像の生成に用いられる一連の投影画像として取得される。
【００５１】
図３に示すように、再構成処理部４４は、Ｍ枚の一連の投影画像を用いてＮ枚の断層画像Ｐｎ（ｎ＝１〜Ｎ）を生成する。断層画像Ｐｎは、照射方向Ｌ２ｃに対して垂直な被写体１４のスライスに対応する画像であり、スライス画像とも称される。整数ｎは、被写体１４に対する各断層画像のスライス位置を表し、放射線源２１側（Ｔｐ）からＦＰＤ２２側（Ｂｔｍ）にかけて、１〜Ｎの順にインクリメントする。なお、スライス位置ｎの間隔（スライスのピッチ）は一定である。スライスピッチは、例えば撮影パラメータとして予め定められる。
【００５２】
図４に示すように、放射線撮影装置１０でトモシンセシス撮影を行う場合、まず、ＲＩＳ５１がＨＩＳ５３から撮影オーダを取得する（Ｓ１１）。そして、取得された撮影オーダに基づいて、コンソール１３に振り角θ等の撮影パラメータが入力される（Ｓ１２）。例えば、図５に示すように、放射線撮影装置１０は、トモシンセシス撮影に対して標準モードと高速モードの２種類のプリセット撮影モードを有している。このため、撮影パラメータの入力は撮影モードの選択により一部自動入力される。
【００５３】
撮影パラメータの入力が完了すると、被写体１４は、撮影台２３に載置された状態で圧迫板２４によって圧迫されて固定される。その後、撮影開始指示が入力されると、撮影制御部３１は、設定された撮影パラメータにしたがって放射線源２１及びＦＰＤ２２を間欠移動させながら、各位置で被写体１４の撮影を実行させる（Ｓ１３）。これにより、断層画像の生成に用いる一連の投影画像Ｐｎが取得され、再構成処理部４４に入力される。
【００５４】
一連の投影画像Ｐｎが取得されると、処理順序制御部４５は、撮影パラメータとして入力された振り角θを取得し、ＬＵＴ４６を参照して間引数を決定する（Ｓ１４）。但し、撮影パラメータの入力時にプリセット撮影モードが選択された場合は、処理順序制御部４５は、振り角θの取得をせず、撮影パラメータとして予め設定された間引数を直接取得する。処理順序制御部４５は、決定した間引数を再構成処理部４４に入力する。
【００５５】
間引数が「１」以上の場合（Ｓ１５；Ｙｅｓ）には、再構成処理部４４は、間引数に応じて生成する全断層画像Ｐｎのうち、一部の断層画像（第１断層画像群に属する断層画像）を先に生成する（Ｓ１６）。例えば、高速モードが選択された場合、間引数は「１」であり、再構成処理部４４は、１〜Ｎ番の断層画像Ｐｎを１枚おきに順に生成する。すなわち、ｎ＝１，３，５，…の各断層画像（第１断層画像群）をｎが小さい順に生成する。
【００５６】
こうして優先的に生成された第１断層画像群の断層画像Ｐ１，Ｐ３，Ｐ５，…は、表示部４２に順次表示される（Ｓ１７）。第１断層画像群の断層画像Ｐ１，Ｐ３，Ｐ５，…の生成が完了し、これらが全て表示部４２に表示されると、放射線技師はこれらを検像することにより、トモシンセシス撮影の良否を判定する（Ｓ１８）。放射線技師は、検像により撮影が成功したと判定した場合には、送信ボタン（図８等参照）を押し、断層画像ＰｎをＰＡＣＳ５２へ送信する指示を入力する（Ｓ１９；Ｙｅｓ）。一方、放射線技師は、検像により撮影が失敗したと判定した場合には、放射線技師は再撮影ボタン（図８等参照）を押し、再撮影指示を入力する（Ｓ１９；Ｎｏ）。
【００５７】
送信指示が入力されると、コンソール１３は表示部４２に次のトモシンセシス撮影をするための準備画面を表示させるが、このとき、再構成処理部４４は、生成を後回しにした残りの断層画像Ｐ２，Ｐ４，Ｐ６，…（第２断層画像群）をｎが小さい順にバックグラウンドで順次生成する（Ｓ２０）。そして、第２断層画像群の断層画像の生成が完了すると、コンソール１３は、ＰＡＣＳ５２に生成した全断層画像ＰｎをＰＡＣＳ５２に送信する（Ｓ２１）。以上により、一回のトモシンセシス撮影が完了する。
【００５８】
一方、コンソール１３に再撮影指示が入力されると、表示部４２に再度トモシンセシス撮影を行うための準備画面を表示させる。このとき、再構成処理部４４は、第２断層画像群の断層画像Ｐ２，Ｐ４，Ｐ６，…の生成を中止する。放射線技師は、例えば表示部４２に表示された準備画面で撮影パラメータを変更し、トモシンセシス撮影をやり直す。
【００５９】
なお、撮影パラメータの入力時に標準モード（図５参照）を選択した場合等、間引数が「０」の場合（Ｓ１５；Ｎｏ）には、再構成処理部４４は、間引きをせず、全断層画像Ｐｎを第１断層画像群として、全ての断層画像Ｐｎをｎが小さい順に生成し（Ｓ２２）、生成された断層画像Ｐｎを表示部４２に順次表示させる（Ｓ２３）。
【００６０】
そして、全ての断層画像Ｐｎが生成され、表示部４２に表示されると、放射線技師は、これらの断層画像Ｐｎを検像し（Ｓ２４）、トモシンセシス撮影の良否を判定する。そして、放射線技師は、検像により撮影が成功したと判定した場合には、放射線技師は送信ボタンを押し、断層画像ＰｎをＰＡＣＳ５２へ送信する指示を入力する（Ｓ２５；Ｙｅｓ）。この場合、ンソール１３は表示部４２に次のトモシンセシス撮影をするための準備画面を表示させ、生成した断層画像ＰｎをＰＡＣＳ５２へ送信する。
【００６１】
一方、放射線技師は、検像により撮影が失敗したと判定した場合、放射線技師は再撮影ボタンを押し、再撮影指示を入力する（Ｓ２５；Ｎｏ）。この場合、コンソール１３は表示部４２に再撮影をするための準備画面を表示させる。そして、放射線技師は、例えば表示部４２に表示された準備画面で撮影パラメータを変更し、トモシンセシス撮影をやり直す。
【００６２】
上述のように、放射線撮影装置１０で生成される断層画像は、従来のように生成に使用する投影画像を減らしたり簡易アルゴリズムを用いたりして画質を落としたものではなく、診断に利用可能な画質を有しているため、正確性（信頼性）が高い検像を行うことができる。
【００６３】
そして、放射線撮影装置１０では、間引数にしたがって、生成する全断層画像Ｐｎを第１断層画像群と第２断層画像群に分け、第１断層画像群の断層画像を検像用に先に生成して表示させ、第２断層画像群の断層画像をバックグラウンドで生成するので、全断層画像Ｐｎを表示して検像を行わせる場合よりも、検像に要する時間が短い。
【００６４】
例えば、振り角θが±７．５ｄｅｇの高速モード（図５参照）を選択し、１２９枚の断層画像Ｐ１〜Ｐ１２９を生成する場合、間引数は「１」である。この場合には、再構成処理部４４は１枚おきに、ｎが小さい順に断層画像を生成する。すなわち、奇数番号の断層画像Ｐ１，Ｐ３，…，Ｐ１２７，Ｐ１２９が第１断層画像群となり、偶数番号の断層画像Ｐ２，Ｐ４，…，Ｐ１２６，Ｐ１２８が第２断層画像群となる。
【００６５】
図６に示すように、再構成処理部４４が１枚の断層画像を生成するための時間をＴ０とすると、全断層画像Ｐ１〜Ｐ１２９の生成完了時刻は断層画像の生成開始（ｔ＝０）を基準として、時刻ｔ＝１２９Ｔ０である。しかし、検像のために再構成処理部４４が優先生成する第１断層画像群６１の断層画像Ｐ１，Ｐ３，…，Ｐ１２７，Ｐ１２９の生成完了時刻はｔ＝６５Ｔ０である。このため、時刻ｔ＝６５Ｔ０以降の任意のタイミングで、検像を完了して送信指示を入力可能である。すなわち、最短では、従来の半分の時刻ｔ＝６５Ｔ０に検像を完了することができる。
【００６６】
時刻ｔ＝６５Ｔ０に検像を完了することができるのは、第１断層画像群６１の断層画像Ｐ１，Ｐ３，…，Ｐ１２７，Ｐ１２９が間引数に応じて選出されているからである。すなわち、間引数に応じて優先生成する断層画像を選出することによって、被写体１４のＴｐ側（放射線源２１側）からＢｔｍ側（ＦＰＤ２２側）までの範囲を含み、かつ、一定の類似性が保たれる所定範囲内に少なくとも１枚は、検像のために優先生成される断層画像が選出されているので、第１断層画像群６１の断層画像Ｐ１，Ｐ３，…，Ｐ１２７，Ｐ１２９のみで、全断層画像Ｐ１〜Ｐ１２９の全貌を把握し、正確かつ迅速な検像を行うことができる。
【００６７】
特に、一定の類似性が保たれる所定範囲内に少なくとも１枚、検像のために優先生成される断層画像が選出されるのは、間引数が振り角θに応じて定められていることによる。トモシンセシス撮影では、振り角θが大きいほど断層画像の解像度が向上するので、振り角θが大きい場合は、隣接するスライス位置（ｎとｎ＋１）の断層画像の類似性は低下する。逆に、振り角θが小さいほど断層画像Ｐｎの解像度は低くなるので、隣接するスライス位置の断層画像の類似性は高くなる。放射線撮影装置１０では、振り角θが小さいほど間引数を大きく（振り角θが大きいほど間引数を小さく）設定しているので、一定の類似性が保たれる所定範囲内に対応して適切に１枚の断層画像が、検像のために選出される。
【００６８】
なお、振り角θが±２０ｄｅｇの標準モード（図５参照）を選択し、１２９枚の断層画像Ｐ１〜Ｐ１２９を生成する場合、間引数は「０」である。すなわち、再構成処理部４４は、間引きをすることなく、全断層画像Ｐｎを第１断層画像群として通常通り、全断層画像Ｐ１〜Ｐ１２９をｎが小さい順に全て生成する。これは、標準モードの振り角θが大きく（±２０ｄｅｇ）、各断層画像Ｐｎ間の類似性が低いので、ある断層画像Ｐｎを良いと判定した場合に、この判定に基づいてこれに隣接する断層画像Ｐｎ＋１の良否を判別できないからである。
【００６９】
このため、図７に示すように、時刻ｔ＝６５Ｔ０の時点で生成が完了する断層画像は、被写体１４のＴｐ側半分の断層画像Ｐ１〜Ｐ６５だけなので、時刻ｔ＝６５Ｔ０の時点では、被写体１４のＢｔｍ側の断層画像Ｐ６６〜Ｐ１２９を把握することはできない。したがって、標準モードの場合、検像を完了可能な時刻はｔ＝１２９Ｔ０以降である。撮影の良否を正確に判定するためには、Ｂｔｍ側の断層画像も少なからず見る必要があるので、Ｂｔｍ側の断層画像Ｐ６６〜Ｐ１２９の一部（例えば数枚）の生成及び表示を待たずに、検像を完了するとしても、少なくとも時刻ｔ＝６５Ｔ０の時点では検像を完了することはできない。
【００７０】
以下、表示部４２の検像用表示画面ついて説明する。図８に示すように、検像用表示画面８１ａは、全ての断層画像Ｐｎを検像用に生成し表示する場合（間引数が「０」の場合）の画面であり、例えば、画面上部に患者の氏名や撮影日時、撮影パラメータ（図示しない）等を表示する情報表示領域８２と、検像が完了した場合に、送信指示を入力するための送信ボタン８３と、再撮影指示を入力するための再撮影ボタン８４を有する。検像用表示画面８１ａでは、送信ボタン８３及び再撮影ボタン８４は、全ての断層画像Ｐｎが生成及び表示された後に有効化される。
【００７１】
また、情報表示領域８２の下部には、断層画像Ｐｎを表示するための画像表示領域８５を有し、画像表示領域８５の右部には、画像表示領域８５に表示される断層画像Ｐｎを上下にスライドさせ（あるいは画面全体を切り替え）、表示されていない断層画像Ｐｎを表示させるように切り替える操作バー８６ａ及び操作ボタン８６ｂ，８６ｃが設けられている。
【００７２】
画像表示領域８５には、複数の断層画像Ｐｎが配列して表示される。再構成処理部４４が生成中の断層画像（例えば断層画像Ｐ１８）が表示される位置には、例えば、生成中であることが表示される。また、その後生成される予定の断層画像（例えば断層画像Ｐ２１）が表示される箇所には、未生成であること及び今後検像のために生成される断層画像があることを示すダミー画像８７が表示される。ダミー画像８７は、例えば、未生成であることを示す所定の画像や記号、断層画像が表示される位置だけを示す枠等である。なお、各断層画像Ｐｎ及びダミー画像８７の右下に表示している数値は、被写体１４との対応関係を示す整数「ｎ」である。
【００７３】
図９に示す検像用表示画面８１ｂは、間引数が「１」の場合の画面であり、情報表示領域８２、送信ボタン８３、再撮影ボタン８４、画像表示領域８５、操作バー８６ａ及び操作ボタン８６ｂ，８６ｃが設けられていることは、間引数が「０」の場合の検像用表示画面８１ａと同様である。但し、間引数は「１」なので、画像表示領域８５には、奇数番号の箇所にだけ断層画像が順次表示される。そして、奇数番号の断層画像が全て表示されると、送信ボタン８３及び再撮影ボタン８４が有効化される。
【００７４】
図１０に示す検像用表示画面８１ｃは、間引数が「１」の場合の画面の変形例であり、検像の時点では生成及び表示されない偶数番号のダミー画像を小さいダミー画像８７ａにした画面である。このように、検像の時点では生成及び表示されない偶数番号のダミー画像を小さいダミー画像８７ａにすると、一列に表示可能な奇数番号の断層画像が多くなるので、検像しやすくなる。
【００７５】
図１１に示す検像用表示画面８１ｄは、間引数が「１」の場合の画面の変形例であり、検像の時点では生成及び表示されない偶数番号のダミー画像８７を、奇数番号の断層画像（またはダミー画像８７）の背面に部分的に重ねて表示した画面である。この場合も、一列に表示可能な奇数番号の断層画像が多くなるので、検像しやすくなる。
【００７６】
図１２に示す検像用表示画面８１ｅは、間引数が「１」の場合の画面の変形例であり、検像に使用する奇数番号の断層画像及びダミー画像８７だけを表示した画面である。このように、検像に使用されない偶数番号の断層画像及びダミー画像の表示を省略すると、図８の間引数が「０」の場合の検像用表示画面８１ａとほぼ同じ画面になるので、間引数によらず、使用感を安定させることができる。
【００７７】
図１３に示す検像用表示画面８１ｆは、間引数が「１」の場合の画面の変形例であり、画像表示領域８５の左部に、被写体１４と断層画像の対応関係を示す対応表示領域８９を設けた画面である。対応表示領域８９には、例えば、被写体１４の模式図９１と、生成中の断層画像（例えば、断層画像Ｐ２３）の被写体１４に対する位置を示すライン９２が表示される。これにより、断層画像Ｐｎの生成の進行度合いを、画像表示領域８５をスライドさせずに把握することができる。模式図９１の代わりに、被写体の１４の投影画像や写真等を使用しても良い。
【００７８】
また、ライン９２を模式図９１に対して移動可能にし、移動後のライン９２の位置に対応する断層画像（あるいはダミー画像８７）が画像表示領域８５に表示されていない場合には、動後のライン９２の位置に対応する断層画像が画像表示領域８５内に表示されるように、画像表示領域８５を自動的にスライドさせても良い。なお、図１３では、画像表示領域８５の表示の仕方が図９の検像様表示画面８１ｂと同じになっているが、検像用表示画面８１ｆの画像表示領域８５は図１０〜図１２の検像用表示画面８１ｃ〜８１ｅの表示の仕方にしても良い。
【００７９】
なお、図８〜図１１及び図１３の検像用表示画面８１ａ〜８１ｄ及び検像用表示画面８１ｆのようにダミー画像８７，８７ａを画像表示領域８５に表示させる場合、ダミー画像８７，８７ａを選択可能にし、ダミー画像８７，８７ａが選択された場合、選択されたダミー画像８７，８７ａに対応する断層画像を、次に生成する断層画像の前に割り込んで生成し表示させるようにしても良い。こうすると、放射線技師が先に検像する必要があると判断した箇所や詳細に検像する必要があると判断した箇所の断層画像を任意に生成及び表示されるので、検像の精度を向上させることができる。
【００８０】
なお、再構成処理部４４は、間引数が１の場合に、ｎ＝１の断層画像Ｐ１を生成し、奇数番号の断層画像Ｐ１，Ｐ３，Ｐ５，…を第１断層画像群６１として検像のために優先生成しているが、最初のｎ＝１の断層画像Ｐ１を生成せず、偶数番号の断層画像Ｐ２，Ｐ４，Ｐ６，…を第１断層画像群６１として検像のために優先生成しても良い。すなわち、間引数が「１」の場合、検像のために優先生成する断層画像が１枚おきに選出されていれば良い。間引数が２の場合は、検像のために優先生成する断層画像が２枚おきに選出されていれば良く、断層画像Ｐ１，Ｐ４，Ｐ７，…、断層画像Ｐ２，Ｐ５，Ｐ８，…、断層画像Ｐ３，Ｐ６，Ｐ９，…、の３つの組みのうち、どの組みを第１断層画像群にしても良い。間引数が３以上の場合も同様である。
【００８１】
なお、再構成処理部４４は、断層画像Ｐｎをｎが小さい順に（放射線源２１側から順に）生成しているが、逆にＦＰＤ２２側から順に断層画像Ｐｎを生成しても良い。また、設定により切り替え可能にしても良い。
【００８２】
なお、トモシンセシス撮影をする場合、位置Ｓ１から位置ＳＭまで放射線源２１を等間隔に間欠移動させているが、放射線源２１の移動間隔は等間隔でなくても良い。例えば、角度θ／Ｍに対応する間隔で放射線源２１を移動させても良い。ＦＰＤ２２の移動間隔も同様である。
【００８３】
また、トモシンセシス撮影をする場合、撮影制御部３１が撮影パラメータとして指定される放射線源２１の振り角θや生成する断層画像の枚数Ｎ等に応じて投影画像の撮影枚数Ｍ及び放射線源２１の間欠移動間隔を自動的に決定するが、撮影枚数Ｍや放射線源２１の間欠移動間隔を撮影パラメータとして指定しできるようにし、これらに基づいて振り角θ等を決定しても良い。
【００８４】
なお、処理順序制御部４５は撮影パラメータとして取得した振り角をＬＵＴ４６に照合して間引数を算出しているが、放射線技師が間引数を設定できるようにしても良い。この場合、例えば、振り角を変数として用いる所定の関数にしたがって間引数を算出する。間引数を算出するための所定関数は、入力する振り角の値が小さい程大きい値の間引数を出力する関数である。
【００８５】
また、振り角に応じた所定の範囲内で、放射線技師が間引数を選択的に設定できるようにしても良い。この場合、選択可能な間引数の上限が、振り角が小さい程大きくなるように設定されていることが好ましい。これは、間引数を大きく設定しすぎて検像の精度を悪化させないためである。
【００８６】
なお、処理順序制御部４５は、入力部４１から撮影パラメータを取得することにより、放射線源２１の振り角の情報を得ているが、一連の投影画像のヘッダに記憶されたメタ情報から取得しても良い。撮影部１１（撮影制御部３１）等から放射線源２１の振り角を取得しても良い。また、処理順序制御部４５が振り角を取得するタイミングは、断層画像を生成する前であれば任意であり、例えば、一連の投影画像の撮影後に振り角の情報を取得しても良い。
【００８７】
なお、放射線撮影装置１０は、プリセット撮影モードとして、標準モードと高速モードを予め定めているが（図５参照）、これら以外の振り角及び間引数の撮影モードを備えていても良い。また、標準モードまたは高速モードの一方だけをプリセット撮影モードとして予め定めても良い。
【００８８】
なお、生成した断層画像Ｐｎの送信指示が入力された場合、コンソール１３は第２画像群の断層画像の生成をバックグラウンドで行ない、全ての断層画像Ｐｎの生成が完了してからこれらの断層画像ＰｎをＰＡＣＳ５２へ送信しているが、ＰＡＣＳ５２への送信は第２断層画像群の断層画像の生成完了を待たなくても良い。例えば、送信指示が入力された場合、既に生成済みの第１断層画像群の断層画像だけを先にＰＡＣＳ５２に送信しておき、第２断層画像群の断層画像はバックグラウンドで生成しつつ、生成され次第、ＰＡＣＳ５２へ順次送信しても良い。
【００８９】
なお、被写体１４が乳房であるが、被写体１４は任意であり、乳房以外の生体部位を被写体１４としても良く、生体以外を被写体１４としても良い。また、本実施形態では、被写体１４が乳房なので撮影部１１がデジタルマンモグラフィ装置であるが、トモシンセシス撮影を行うことができるものであれば、例えば被写体１４に応じて、撮影部１１を任意の装置に置き換えて良い。但し、撮像部１１は、あくまでもトモシンセシス撮影を行う装置でなければならない。例えば、いわゆるＸ線ＣＴ装置は、断層画像の生成のために被写体１４に対して全方位からＸ線を逐次照射して被写体１４をスキャンする。すなわち、Ｘ線ＣＴ装置では、Ｘ線源の振り角が通常は３６０ｄｅｇに固定されているので、放射線撮影装置１０のように振り角θを任意に変更することはできない。このため、撮影部１１をＸ線ＣＴ装置に置き換えることはできない。
【００９０】
なお、トモシンセシス撮影を行う場合、放射線源２１及びＦＰＤ２２を各々平行移動させるが、被写体１４を中心に放射線源２１及びＦＰＤ２２を円弧状に回動させることにより、被写体１４を複数の角度から撮影しても良い。
【００９１】
なお、ＦＰＤ２２が移動自在に設けられており、トモシンセシス撮影を行う場合に放射線源２１と同期して移動されるが、ＦＰＤ２２が放射線源２１の振り角θの全範囲をカバーする大きさの場合には、ＦＰＤ２２は固定されていても良い。
【００９２】
なお、表示部４２は診断に用いられる断層画像Ｐｎをそのまま表示しているが、表示部４２は断層画像Ｐｎのサムネイルを表示しても良い。但し、断層画像Ｐｎをサムネイル化することによって、検像の精度が必要な精度以下に悪化しない場合に限る。
【００９３】
なお、ＦＰＤ２２は入射したＸ線を一度可視光に変換した後に光電変換して電気信号に変換するいわゆる間接変換方式であるが、入射したＸ線を直接的に電気信号に変換する直接変換方式のＦＰＤも好適に用いることができる。また、表面入射型と裏面入射型等、内部の層構造が異なるＦＰＤも知られているが、投影画像を得ることができればＦＰＤ２２の内部構造も任意である。
【００９４】
なお、放射線源２１がＸ線を発するＸ線源であるが、Ｘ線以外の放射線を用いても良い。
【００９５】
なお、放射線源２１、ＦＰＤ２２、再構成処理部４４、処理順序制御部４５、及び表示部４２を備える放射線撮影装置を、上記実施形態のように動作させる放射線撮影制御プログラムも本発明の一つである。
【符号の説明】
【００９６】
１０  放射線撮影装置
１１  撮影部
１２  制御装置
１３  コンソール
１４  被写体
２１  放射線源
２２  ＦＰＤ
４３  画像処理部
４４  再構成処理部
４５  処理順序制御部
６１  第１断層画像群
６２  第２断層画像群
【図１】
2014195622.tif 000003
【図２】
2014195622.tif 000004
【図３】
2014195622.tif 000005
【図４】
2014195622.tif 000006
【図５】
2014195622.tif 000007
【図６】
2014195622.tif 000008
【図７】
2014195622.tif 000009
【図８】
2014195622.tif 000010
【図９】
2014195622.tif 000011
【図１０】
2014195622.tif 000012
【図１１】
2014195622.tif 000013
【図１２】
2014195622.tif 000014
【図１３】
2014195622.tif 000015